(57)【要約】【課題】メッセージダイアログで表示されたメッセージの内容と、それに対して行った操作の内容を、ユーザが後に容易に確認可能とする。【解決手段】キューシート作成/表示端末、アサインパッド端末のモニタに、各アプリケーションに関係するメッセージが表示されたとき、そのメッセージ情報をデータベースに登録する。ユーザの操作を求めるメッセージの場合、このメッセージ情報には、メッセージ内容だけでなく、操作内容も含まれる。ユーザが番組表１０１の履歴表示ボタン１０５を押し下げることで、番組表１０１上にメッセージ履歴ダイアログ１０６が表示される。そのメッセージ表示欄には、データベースに登録されているメッセージ情報が表示される。このメッセージ情報として、メッセージ内容が表示され、さらに操作内容が含まれる場合には、その操作内容も表示される。【選択図】図１３
2010152836.tif 000002
【特許請求の範囲】
【請求項１】
ユーザが操作を行うための操作部と、
上記操作部による操作結果に対応したメッセージダイアログを表示する表示部と、
上記表示部に表示されるメッセージダイアログのメッセージ内容と該メッセージ内容に対してユーザが上記操作部により操作した操作内容とを関連付けてメッセージ情報として保持するメッセージ保持部と、
上記操作部により上記ユーザがメッセージ履歴の表示を指示したとき、上記メッセージ保持部に保持されている上記メッセージ情報を読み出し、上記表示部に上記メッセージ内容および上記操作内容を対応させて表示する表示制御部
を備えるユーザインタフェース装置。
【請求項２】
上記表示部に、上記メッセージ履歴の表示を指示するための履歴表示ボタンが表示され、
上記ユーザは、上記操作部により上記表示部に表示された上記履歴表示ボタンを押し下げる操作を行うことで、上記メッセージ履歴の表示を指示する
請求項１に記載のユーザインタフェース装置。
【請求項３】
上記表示部には、複数のアプリケーションによる画像が表示され、
上記履歴表示ボタンは、特定のアプリケーションによる画像に表示される
請求項２に記載のユーザインタフェース装置。
【請求項４】
第１のアプリケーションの起動中に第２のアプリケーションが起動され、上記表示部には上記第１のアプリケーションによる第１の画像の上に上記第２のアプリケーションによる画像が表示されるとき、
上記履歴表示ボタンは、上記第１の画像中に表示される
請求項３に記載のユーザインタフェース装置。
【請求項５】
上記メッセージ保持部に保持される上記メッセージ情報は、上記表示部に表示されるメッセージ情報の絞り込みのための付加情報を有する
請求項１に記載のユーザインタフェース装置。
【請求項６】
上記表示部に、該表示部に表示される上記メッセージ情報を絞り込むための情報を入力するユーザ入力欄が設けられる
請求項５に記載のユーザインタフェース装置。
【請求項７】
上記メッセージ保持部への上記メッセージ情報の保持タイミングは、上記表示部に表示されるメッセージダイアログのメッセージ内容に対して上記ユーザが上記操作部により操作したタイミングとする
請求項１に記載のユーザインタフェース装置。
【請求項８】
ユーザが操作部により操作した結果に対応したメッセージのダイアログを表示部に表示するメッセージダイアログ表示ステップと、
上記ダイアログのメッセージ内容と該メッセージ内容に対してユーザが上記操作部により操作した操作内容とを関連付けてメッセージ情報としてメッセージ保持部に保持するメッセージ情報保持ステップと、
上記ユーザが上記操作部によりメッセージ履歴の表示を指示したとき、上記メッセージ保持部に保持されている上記メッセージ情報を読み出し、上記表示部に上記メッセージ内容および上記操作内容を対応させて表示するメッセージ履歴表示ステップと
を有するメッセージ表示方法。
【請求項９】
コンピュータを、
ユーザが操作部により操作した結果に対応したメッセージのダイアログを表示部に表示するメッセージダイアログ表示手段と、
上記ダイアログのメッセージ内容と該メッセージ内容に対してユーザが上記操作部により操作した操作内容とを関連付けてメッセージ情報としてメッセージ保持部に保持するメッセージ情報保持手段と、
上記ユーザが上記操作部によりメッセージ履歴の表示を指示したとき、上記メッセージ保持部に保持されている上記メッセージ情報を読み出し、上記表示部に上記メッセージ内容および上記操作内容を対応させて表示するメッセージ履歴表示手段と
して機能させるプログラム。
【請求項１０】
ユーザインタフェース装置を備え、
上記ユーザインタフェース装置は、
ユーザが操作を行うための操作部と、
上記操作部による操作結果に対応したメッセージダイアログを表示する表示部と、
上記表示部に表示されるメッセージダイアログのメッセージ内容と該メッセージ内容に対してユーザが上記操作部により操作した操作内容とを関連付けてメッセージ情報として保持するメッセージ保持部と、
上記操作部により上記ユーザがメッセージ履歴の表示を指示したとき、上記メッセージ保持部に保持されている上記メッセージ情報を読み出し、上記表示部に上記メッセージ内容および上記操作内容を対応させて表示する表示制御部を有する
番組放送システム。
【発明の詳細な説明】
【技術分野】
【０００１】
この発明は、ユーザインタフェース装置、メッセージ表示方法、プログラムおよび番組放送システムに関し、特に、操作結果に対応したメッセージダイアログが表示されるユーザインタフェース装置等に関する。
【背景技術】
【０００２】
テレビジョン放送におけるニュース番組は、放送局の各支局、支部またはクラブ等において取材した種々雑多なニュースソースを視聴者に迅速かつ正確に伝達することが求められている。実際、ニュース番組の放送においては、報道部において取材予定がたてられ、その後に、各支局、支部またはクラブで取材されたニュースソースが、番組放送システムにより速やかに編集される。そして、この番組放送システムにより、編集後のニュースソースが、番組に関する内容および番組を構成する各項目の放送時刻等が示されたキューシート（番組進行表）に従って、オンエア送出される。この種の番組放送システムは、例えば特許文献１等に記載されている。
【特許文献１】特開２００１−１３６４７９号公報
【発明の開示】
【発明が解決しようとする課題】
【０００３】
上述の番組放送システムにおいて、操作端末では、操作した結果でエラーや警告が発生した場合、メッセージダイアログを表示してユーザに知らせている。このメッセージダイアログには、メッセージ内容を確認する場合と、メッセージ内容によって対応を選択する場合があるが、いずれの場合も、ユーザの確認あるいは選択の操作があると、閉じられる。そのため、ユーザは、その後にメッセージ内容を確認する方法がなかった。
【０００４】
この発明の目的は、メッセージダイアログで表示されたメッセージの内容と、それに対して行った操作の内容を、ユーザが後に容易に確認可能とすることにある。
【課題を解決するための手段】
【０００５】
この発明の概念は、
ユーザが操作を行うための操作部と、
上記操作部による操作結果に対応したメッセージダイアログを表示する表示部と、
上記表示部に表示されるメッセージダイアログのメッセージ内容と該メッセージ内容に対してユーザが上記操作部により操作した操作内容とを関連付けてメッセージ情報として保持するメッセージ保持部と、
上記操作部により上記ユーザがメッセージ履歴の表示を指示したとき、上記メッセージ保持部に保持されている上記メッセージ情報を読み出し、上記表示部に上記メッセージ内容および上記操作内容を対応させて表示する表示制御部
を備えるユーザインタフェース装置にある。
【０００６】
この発明において、ユーザインタフェース装置は、例えば、番組放送システムが備えるものである。ユーザインタフェース装置には、ユーザインタフェースとして、操作部および表示部が備えられる。ユーザは、操作部により、種々の操作、例えば、番組表の作成、編集のための操作、キューシートの作成、編集操作などの操作を行うことができる。
【０００７】
ユーザが操作部で操作した結果でエラーや警告が発生した場合、表示部には、それらに対応したメッセージダイアログが表示される。このメッセージダイアログは、ユーザが操作部により確認あるいは選択の操作を行うことで、閉じられる。
【０００８】
上述したように表示部にメッセージダイアログが表示される場合、メッセージ保持部により、ダイアログのメッセージ内容とこのメッセージ内容に対してユーザが操作部により操作した操作内容とが関連付けられ、メッセージ情報としてメッセージ保持部に保持される。このメッセージ保持部へのメッセージ情報の保持は、表示部にメッセージダイアログが表示される都度行われる。
【０００９】
メッセージ保持部へのメッセージ情報の保持タイミングは、例えば、表示部に表示されるメッセージダイアログのメッセージ内容に対してユーザが操作部により操作したタイミングとされる。これにより、メッセージ内容に操作内容を関連付けてメッセージ情報としてメッセージ保持部に保持することを効率よく行うことができる。
【００１０】
ユーザが操作部によりメッセージ履歴の表示を指示したとき、表示制御部により、メッセージ保持部に保持されているメッセージ情報が読み出され、表示部に、メッセージ内容および操作内容が対応して表示される。これにより、ユーザは、メッセージダイアログで表示されたメッセージの内容とそれに対して行った操作の内容を、容易に確認できる。
【００１１】
この発明において、例えば、表示部に、メッセージ履歴の表示を指示するための履歴表示ボタンが表示され、ユーザは、操作部により、表示部に表示されたメッセージ履歴ボタンを押し下げる操作を行うことで、メッセージ履歴の表示を指示する、ようにされてもよい。このように表示部に履歴表示ボタンが表示されることで、ユーザは、メッセージ履歴の表示指示を簡単な操作で行うことができる。
【００１２】
例えば、表示部には、複数のアプリケーションによる画像が表示され、メッセージ履歴ボタンは、特定のアプリケーションによる画像に表示される。例えば、第１のアプリケーションの起動中に第２のアプリケーションが起動され、表示部には第１のアプリケーションによる第１の画像の上に第２のアプリケーションによる画像が表示されるとき、履歴表示ボタンは、第１の画像中に表示される。例えば、番組表アプリケーションの起動により表示部には番組表の画像が表示され、番組表から所定の番組が選択されることでキューシートアプリケーションが起動し、表示部には番組表の画像の上にキューシートの画像が表示される。この場合、履歴表示ボタンは、番組表の画像中に表示される。
【００１３】
また、この発明において、例えば、メッセージ保持部に保持されるメッセージ情報は、メッセージ情報の絞り込みのための付加情報を有する、ようにされてもよい。この付加情報は、例えば、日時、メッセージの種別（エラーレベル）、番組名等の情報である。例えば、表示部には、日時、メッセージの種別（エラーレベル）、番組名等を入力して、メッセージ情報を絞り込むためのユーザ入力欄が設けられる。
【００１４】
このようにメッセージ情報が絞り込みのための付加情報を有している場合には、ユーザは、メッセージ履歴の表示を指示する際に、日時を指定し、あるいはメッセージの種別を指定し、さらには番組名を指定する等して、表示部に表示されるメッセージ情報の絞り込みを行うことができる。
【発明の効果】
【００１５】
この発明によれば、表示部に表示されたメッセージダイアログのメッセージ内容とそれに対するユーザ操作内容とを関連付けてメッセージ情報としてメッセージ保持部に保持しておき、メッセージ履歴の表示指示があるとき、保持されているメッセージ情報に基づいてメッセージ内容および操作内容を対応させて表示するものであり、ユーザは、メッセージダイアログで表示されたメッセージの内容と、それに対して行った操作の内容を後で容易に確認できる。
【発明を実施するための最良の形態】
【００１６】
以下、発明を実施するための最良の形態（以下、「実施の形態」とする）について説明する。なお、説明は以下の順序で行う。
１．実施の形態
２．変形例
【００１７】
＜１．実施の形態＞
［番組放送システムの構成例］
図１は、実施の形態としての番組放送システム１の構成例を示している。この番組放送システムは、例えば放送局等の番組編集部門に適用されるシステムであり、映像、音声、コンピュータグラフィックス、文字データを含む放送用素材を編成・構成に基づいて編集する処理を実行する。
【００１８】
番組放送システム１は、番組構成者、編集者、記者等から編集操作、各種設定入力、指示入力等が行われる入力グループ２と、素材からいわゆるノンリニア編集により番組を制作する番組制作グループ３とを有する。完成された番組は送出部４から送出される。入力グループ２は、情報処理端末で構成されており、支社または支局５とも接続され、支社または支局５からも編集操作が可能になっている。
【００１９】
入力グループ２は、取材管理端末２１、原稿作成端末２２、項目入力端末２３、キューシート作成／表示端末２４およびアサインパッド端末２５を含み、これらの端末がローカルネットワークで接続されたシステムである。取材管理端末２１は、取材を管理するための端末である。原稿作成端末２２は、記者らが原稿作成するための端末である。
【００２０】
項目入力端末２３は、番組および番組項目を作成するための端末である。番組の作成では、オンエアする期間や放送枠、曜日などを番組リストに登録することで、番組表が作成される。番組項目の作成では、番組表画面から番組を選択することで開かれる番組項目表画面にて項目の追加、変更を行うことで、番組項目表が作成される。
【００２１】
キューシート作成／表示端末２４は、キューシート入力、およびオンエア中のキューシート表示と変更を行うための端末である。なお、図１には１台しか示していないが、キューシート作成／表示端末２４としては、複数台の端末が存在する。キューシート作成／表示端末２４では、例えば、番組表（Program）、キューシート（Cuesheet）およびキューシートマネージャ（CSManager）等のアプリケーションが動作する。
【００２２】
番組表のアプリケーションが起動することで、モニタ（表示パネル）には、番組表が表示される。このように番組表が表示された状態で、番組表の変更、修正が可能となる。また、この番組表から所定の番組を選択することで、キューシートのアプリケーションが起動し、モニタには番組表に重ねて、選択された番組のキューシートが表示される。キューシート作成／表示端末２４では、このようにキューシートが表示された状態で、カメラ／ＶＴＲ／サーバ／効果／音声などの構成情報が追加される。キューシートマネージャのアプリケーションが起動することで、モニタには、キューシートマネージャが表示される。このキューシートマネージャのアプリケーションは、キューシートのＧＵＩ（Graphical User Interface）を制御するソフトウエアである。
【００２３】
なお、上述した項目入力端末２３で作成される各番組の番組項目表の情報に基づいてデータベース上にキューシートが自動的に生成される。キューシート作成／表示端末２４では、このように自動的に生成されたキューシートの各項目に対して構成情報の追加が可能となる。
【００２４】
オンエア前には、番組表およびキューシートマネージャのアプリケーションが起動された状態におかれ、モニタには、番組表およびキューシートマネージャが表示される。図２は、キューシート作成／表示端末２４のオンエア前におけるモニタ（表示パネル）の表示例を示しており、番組表１０１と、キューシートマネージャ１０２が表示されている。
【００２５】
そして、番組開始時刻の例えば２分前に、キューシートのアプリケーションが起動し、モニタには、番組表の上に、該当番組のキューシートが表示される。図３は、キューシートのアプリケーションの起動後におけるモニタの表示例を示しており、キューシート１０３と、キューシートマネージャ１０２が表示されている。なお、番組表１０１（図２参照）は、キューシート１０３の後側に表示されている。
【００２６】
ウィンドウの上部には、ファイル操作のコマンド選択バーＢ１が表示され、その下側に各種のコマンドボタンＢ２が表示されている。さらに、その下側には、各項目の音声詳細設定画面Ｇ１が表示されている。また、音声詳細設定画面Ｇ１の下側には、各項目が時系列で縦に並んで表示され、項目毎に構成領域が右側に伸びる表示となっている。
【００２７】
項目にはタイトルを設定でき、放映開始時刻と放映時間とが表示されている。放映時間は、項目を構成する構成領域に割り当てられた素材の長さ（放映時間）の合計となっている。各項目には、素材を割り当てるための構成領域を必要に応じて複数設定することができる。放映順序は、一番上の項目に設定された構成領域を右側に進んで素材を放映し、全ての構成領域の放映が済んだら一つ下の項目に進み、その構成領域を右側に進んで素材の放映を行う、といった処理を繰り返していくことになる。
【００２８】
連続した後番組がある場合、後番組の開始時刻の例えば２分前に自動で後番組が起動し、モニタには、番組表の上に、前後の２番組のキューシートが並列表示される。図４は、連続した後番組がある場合におけるモニタの表示例を示しており、前の番組のキューシート１０３ａと、後の番組のキューシート１０３ｂとが、並べて表示されている。なお、図示しないが、前の番組の終了時には、前の番組のキューシート１０３ａの表示は消えるようにされ、後の番組のキューシートのみが表示される。
【００２９】
また、番組終了時には、キューシートのアプリケーションが終了し、モニタの表示状態は、オンエア前に戻り、番組表およびキューシートマネージャが表示された状態となる（図２参照）。
【００３０】
アサインパッド端末２５は、アサイン操作を行うための端末である。なお、図１には１台しか示していないが、アサインパッド端末２５としては、複数台の端末が存在する。アサインパッド端末２５では、例えば、番組表（Program）、アサインパッド（Assignpad）およびキューシートマネージャ（CSManager）等のアプリケーションが動作する。
【００３１】
番組表のアプリケーションが起動することで、モニタ（表示パネル）には、番組表が表示される。このように番組表が表示された状態で、番組表の変更、修正が可能となる。キューシートマネージャのアプリケーションが起動することで、モニタには、キューシートマネージャが表示される。
【００３２】
オンエア前には、番組表およびキューシートマネージャのアプリケーションが起動された状態におかれ、モニタ（表示パネル）には、番組表およびキューシートマネージャが表示される。そして、番組開始時刻の例えば２分前に、アサインパッドのアプリケーションが起動し、モニタには、番組表の上に、該当番組のアサインパッドが表示される。この状態において、オンエア中に緊急割り込みが発生した場合には、アサインパッド端末２５を使用してマニュアル操作でサーバ部材をプールチャネルにアサインして、送出することが可能となる。
【００３３】
また、連続した後番組がある場合、前番組の終了時に、後番組が起動され、モニタには、番組表の上に、当該後番組のアサインパッドが表示される。そして、番組終了時には、アサインパッドのアプリケーションが終了し、モニタの表示状態は、オンエア前に戻り、番組表およびキューシートマネージャが表示された状態となる。
【００３４】
なお、図示しないが、入力グループ２には、上述の端末の他、ＣＧ（ComputerGraphics）により映像を作成する、あるいは映像に重ねて表示する地図、天気図、文字等を作成するＣＧ作成端末、文字放送用の文字を作成するクローズドキャプション端末等がある。入力グループ２を構成する情報処理端末としては、例えば、一般的なパーソナルコンピ
ュータを適用できる。
【００３５】
［情報処理端末の構成］
図５は、入力グループ２の各端末として使用できる情報処理端末（パーソナルコンピュータ）２００の構成例を示している。情報処理端末２００は、ＣＰＵ（Central Processing Unit）２０３、ＲＯＭ（Read OnlyMemory）２０２、ＲＡＭ（Random Access Memory）２０４、メモリコントローラ２０５およびＨＤＤ（Hard Disk Drive）２０１を有している。また、情報処理端末２００は、ネットワークインタフェース２０６、キーボード２０８、マウス２０９、タッチパネル２１３、入力デバイスインタフェース２１０、表示デバイスドライバ２１１およびＬＣＤ（Liquid Crystal Display）２１２を有している。
【００３６】
ＨＤＤ２０１は、ストレージデバイスを構成する。ＨＤＤ２０１、あるいはＲＯＭ２０２は、各端末の動作に必要なプログラム（ソフトウエア）等を格納する。例えば、キューシート作成／表示端末２４においては、ＨＤＤ２０１、あるいはＲＯＭ２０２に、上述した番組表（Program）、キューシート、キューシートマネージャ等の各アプリケーションのソフトウエアが格納される。また、例えば、アサインパッド端末２５においては、ＨＤＤ２０１、あるいはＲＯＭ２０２に、上述した番組表（Program）、アサインパッド、キューシートマネージャ等の各アプリケーションのプログラム（ソフトウエア）が格納される。ＣＰＵ２０３は、プログラムに基づいて、各端末固有の処理を実行する。ＲＡＭ２０４は、ＣＰＵ２０３の作業領域を構成する。メモリコントローラ２０５は、ＲＡＭ２０４への書き込みおよび読み出しを制御する。
【００３７】
ネットワークインタフェース２０６は、オリジナルネットワークあるいはインターネット等に接続するためのインタフェースである。ＨＤＤ２０１、ＲＯＭ２０２、ＣＰＵ２０３、メモリコントローラ２０５およびネットワークインタフェース２０６は、それぞれ、内部バス２０７に接続されている。
【００３８】
キーボード２０８およびマウス２０９は、ユーザインタフェースを構成しており、番組構成者、編集者、記者等といったユーザから編集操作、各種設定入力、指示入力等を受け付ける。これらキーボード２０８およびマウス２０９は入力デバイスインタフェース２１０を介して内部バス２０７に接続されている。
【００３９】
ＬＣＤ２１２は、ユーザインタフェースとしてのモニタを構成しており、各種情報の表示を行う。例えば、キューシート作成／表示端末２４において、ＬＣＤ２１２は、上述した番組表、キューシート、キューシートマネージャの表示、さらには、後述するメッセージダイアログ、メッセージ履歴ダイアログ等の表示を行う。また、例えば、アサインパッド端末２５において、ＬＣＤ２１２は、上述した番組表、アサインパッド、キューシートマネージャの表示、さらには、後述するメッセージダイアログ、メッセージ履歴ダイアログ等の表示を行う。このＬＣＤ２１２は、表示デバイスドライバ２１１を介して内部バス２０７に接続されている。
【００４０】
図１に戻って、番組制作グループ３は、素材サーバ３１、ノンリニア編集装置３２、プレイアウトサーバ３３-1，３３-2、管理サーバ３４およびオンエア制御装置３５を含み、これらが互いにネットワークで接続されてシステムを構成している。
【００４１】
素材サーバ３１は、映像、音声、コンピュータグラフィックス、文字データを含む放送用素材を格納する。ノンリニア編集装置３２は、放送用素材を編集する。プレイアウトサーバ３３-1，３３-2は、完成した番組を格納する。管理サーバ３４は、入力グループ２のネットワークと番組制作グループ３のネットワークを接続し、各放送用素材と完成した番組とを管理する。オンエア制御装置３５は、番組表およびキューシートに基づいて番組を構成する。
【００４２】
素材サーバ３１は、ＨＤＤ等の大容量記録媒体を備えており、映像、音声、コンピュータグラフィックス、文字データ等の放送用素材を格納することができる。また、素材サーバ３１は、録画録音機器に接続可能とされ、取材によって収集された映像素材及び音声素材等を入力できるようになっている。
【００４３】
また、素材サーバ３１は、ネットワーク、ビデオテープ、ＣＤ（Compact Disc）、ＤＶＤ（Digital Versatile Disc）等をはじめとする提供媒体から放送用素材を受け取ることができる。さらに、素材サーバ３１は、放送用素材を格納する際に、放送用素材に関連する関連素材を指定する制御データを入力する設定を行うためのユーザインタフェースを備えている。なお、放送用素材には、上述した映像データ、音声データのほか、垂直同期信号に含まれるデータ、システムを構成する各種装置を制御するための制御信号も含まれる。
【００４４】
オンエア制御装置３５は、入力グループ２の各端末から行われた入力に従って、選択された放送用素材を素材サーバ３１から抽出し、当該放送用素材を出力する放送機器を割り当ててオンエアする制御を行っている。また、このオンエア制御装置３５は、どの放送用素材をどの放送機器で出力するかといった機器配分も行っている。
【００４５】
番組構成制御手段としてのオンエア制御装置３ ５ は、キューシート作成／表示端末２４、アサインパッド端末２５で選択された放送用素材に、制御データで関連素材が指定されている場合には、指定された関連素材を素材サーバ３１から抽出して該関連素材を出力する放送機器を割り当てる処理を行う。この場合、制御データは、映像素材に関連する音声素材を指定するデータであり、例えば、音声素材のみの使用を許可するか、音声素材は映像素材とともに使用されるものかを指示するデータである。
【００４６】
管理サーバ３４は、番組放送システム１全体の情報を統括管理し、オンエア項目の管理、およびどの素材がどの段階の処理を受けているか等の素材管理を行っている。入力グループ２の原稿作成端末２２、項目入力端末２３、キューシート作成／表示端末２４およびアサインパッド端末２５は、管理サーバ３４に接続されている。これらの各端末は、管理サーバ３４を介して素材サーバ３１、ノンリニア編集装置３２、プレイアウトサーバ３３-1，３３-2、オンエア制御装置３５等に接続されている。入力グループ２と番組制作グループ３との間がインターネットで接続されている場合、管理サーバ３４はＷｅｂサーバとして機能する。
【００４７】
［番組放送システムの機能構成］
番組放送システム１の機能構成について説明する。図６は、番組放送システム１中の入力グループ２の機能構成を説明する機能構成図である。入力グループ２は、システムに共通の設定を行うシステム共通設定機能部３０１と、ニュース等の報道番組を制作するための報道支援機能部３０２と、番組を制作し、制作された番組を送出するオンエア制御を行う送出支援機能部３０３を有している。各機能部は、データベースインタフェース３０４またはＷｅｂサーバ３０５を介してデータベース３０６と接続されている。
【００４８】
報道支援機能部３０２は、図１に示す入力グループ２を構成する取材管理端末２１、原稿作成端末２２で実行される処理に相当する。送出支援機能部３０３は、入力グループ２を構成する項目入力端末２３、キューシート作成／表示端末２４、アサインパッド端末２５と、番組制作グループ３を構成するオンエア制御装置３５等で実行される処理に相当する。
【００４９】
システム共通設定機能部３０１は、システム設定部３１１、ユーザ設定部３１２および制御データ入力部３１３を有する。また、報道支援機能部３０２は、取材管理部３２１および原稿作成部３２２を有する。原稿作成部３２２で作成された原稿は、Ｗｅｂサーバ３０５を介してデータベース３０６に送られて格納される。
【００５０】
送出支援機能部３０３は、番組表部３３１、キューシート部３３２、キューマネージャ部３３３、アサインパッド部３３４、ＯＡマネージャ部３３６、機器制御ＡＰＩ／ＳＭＳ部３３７等を有する。この送出支援機能部３０３は、上述した番組表（Program）、キューシート、キューシートマネージャ、アサインパッドのアプリケーション、さらにはＯＡマネージャのアプリケーションによる処理を行う。
【００５１】
送出支援機能部３０３は、番組表、キューシートの作成、変更、さらには、番組表、キューシート、キューシートマネージャ、アサインパッドの表示等を行う。また、送出支援機能部３０３は、機器制御ＡＰＩ／ＳＭＳ部により放送機器を制御することで、オンエア制御を行う。
【００５２】
なお、図１に示す番組放送システム１は、番組制作のための各機能を専用の機器に対応づけて明確に分類した場合の一例として説明している。しかし、番組放送システム１全体として上述した図６を用いて説明した各機能が実現されていればよい。したがって、図６に示した番組放送システム１の機能を一つの機器で実現した構成でもよいし、各機能をいくつかの機器に分業化させた構成とすることもできる。
【００５３】
［メッセージ情報の保持と、メッセージ履歴の表示］
キューシート作成／表示端末２４あるいはアサインパッド端末２５において、番組表（Program）、キューシート、キューシートネージャ、アサインパッドのアプリケーションが起動している状態を考える。この状態では、端末のモニタには、上述したように、番組表、キューシート、キューシートマネージャ、アサインパッドが表示されている。
【００５４】
この状態で、ユーザがキーボードあるいはマウスにより操作した結果、エラーや警告が発生する場合がある。その場合には、当該操作した端末のモニタに、メッセージが表示され、ユーザはエラーや警告等の確認が可能となる。番組表（Program）のアプリケーションに関係するメッセージは、モニタに表示された番組表上に、メッセージダイアログが表示されることで表示される。
【００５５】
キューシートのアプリケーションに関係するメッセージは、モニタに表示されたキューシート上に、メッセージダイアログが表示されることで表示される。キューシートマネージャのアプリケーションに関係するメッセージは、モニタに表示されたキューシートマネージャに表示される。さらに、アサインパッドのアプリケーションに関係するメッセージは、モニタに表示されたアサインパッド上に、メッセージダイアログが表示されることで表示される。
【００５６】
各アプリケーションに関係するメッセージ（表示内容）には、「エラー」、「警告」、「確認」および「情報」の４つの種別がある。例えば、確認メッセージのダイアログが表示される場合、ユーザは例えば「はい」または「いいえ」のボタンの押し下げが可能とされ、この押し下げ操作があるときメッセージダイアログは閉じられる。また、情報メッセージのダイアログが表示される場合、ユーザは例えば「ＯＫ」のボタンの押し下げが可能とされ、この押し下げ操作があるときメッセージダイアログは閉じられる。
【００５７】
図７は、番組表（Program）のアプリケーションに関係するメッセージ（表示内容）の一例を示している。“番組の時刻が重複しています”は、警告メッセージであり、“キューシートロックを解除します。よろしいですか？”は、確認メッセージである。このような番組表（Program）のアプリケーションに関係するメッセージは、番組表（Program）のアプリケーションが動作するキューシート作成／表示端末２４あるいはアサインパッド端末２５のモニタに表示される。
【００５８】
図８は、キューシートのアプリケーションに関係するメッセージ（表示内容）の一例を示している。“映像素材が未設定です”および“項目Ｎｏが重なっています”は、エラーメッセージである。“分配チャネルが重なっています”は、エラーまたは警告のメッセージである。“確定開始時刻が前後しています”、“音声アイコンが未設定です”、“素材登録状態に異常が発生しています”は、警告メッセージである。“構成パターンを削除します。よろしいですか？”は、確認メッセージである。“ＮＶ素材が書き換えられました”は、情報メッセージである。このようなキューシートのアプリケーションに関係するメッセージは、キューシートのアプリケーションが動作するキューシート作成／表示端末２４のモニタに表示される。
【００５９】
図９は、キューシートマネージャに関係するメッセージ（表示内容）の一例を示している。“ＯＡ番組が表示できませんでした”は、警告メッセージである。“後番組がスタンバイしました”は、情報メッセージである。このようなキューシートマネージャのアプリケーションに関係するメッセージは、キューシートマネージャのアプリケーションが動作するキューシート作成／表示端末２４あるいはアサインパッド端末２５のモニタに表示される。
【００６０】
図１０は、アサインパッドのアプリケーションに関係するメッセージ（表示内容）の一例を示している。 “確定開始時刻が前後しています”、“分配チャネルが重なっています”および“素材登録状態に異常が発生しています”は、警告メッセージである。“カルタ取りモードを終了してキューシート運行に戻っても良いですか？”は、確認メッセージである。このようなアサインパッドに関係するメッセージは、アサインパッドのアプリケーションが動作するアサインパッド端末２５のモニタに表示される。
【００６１】
図１１は、番組表１０１上に表示されたメッセージダイアログ１０４の一例を示している。この例は、番組表（Program）のアプリケーションに関係するメッセージを示すものであって、ユーザの確認を求めるためのものである。このメッセージダイアログ１０４は、ユーザが「はい」あるいは「いいえ」のボタンを押し下げる操作を行ったときに閉じる。
【００６２】
この実施の形態において、複数のキューシート作成／表示端末２４、複数のアサインパッド端末２５のモニタに上述の各アプリケーションに関係するメッセージが表示されたとき、そのメッセージはデータベースに登録される（図６参照）。つまり、このデータベースには、各端末および各アプリケーション（プロセス）のメッセージが蓄積される。ここで、データベース３０６は、メッセージ保持部を構成している。
【００６３】
ここで、モニタに、「はい」あるいは「いいえ」のボタン押し下げをユーザに求める確認メッセージのメッセージダイアログが表示される場合には、メッセージ登録タイミングは、以下のタイミングとされる。この場合には、登録されるメッセージ情報に、メッセージ内容だけでなく、「はい」あるいは「いいえ」の操作内容を含めるようにされる。つまり、この場合には、メッセージ内容に操作内容が関連付けされてメッセージ情報としてデータベース３０６に登録される。そのため、メッセージ登録のタイミングは、メッセージダイアログが表示されたタイミングではなく、ユーザにより「はい」あるいは「いいえ」のボタン押し下げ操作が行われたタイミングとされる。
【００６４】
また、モニタに、「ＯＫ」のボタン押し下げをユーザに求める情報メッセージのメッセージダイアログが表示される場合には、メッセージ登録タイミングは、以下のタイミングとされる。この場合には、登録されるメッセージ情報に、メッセージ内容だけでなく、「ＯＫ」の操作内容を含めるようにされる。つまり、この場合にも、メッセージ内容に操作内容が関連付けされてメッセージ情報としてデータベース３０６に登録される。そのため、メッセージ登録のタイミングは、メッセージダイアログが表示されたタイミングではなく、ユーザにより「ＯＫ」のボタン押し下げ操作が行われたタイミングとされる。
【００６５】
上述したように、メッセージ登録タイミングを、メッセージ表示タイミングではなく、ユーザのボタン押し下げ操作のタイミングとすることで、メッセージ内容に操作内容を関連付けてメッセージ情報として保持することを、効率よく行うことができる。
【００６６】
例えば、図１１に示すように番組表（Program）に関係する確認メッセージのメッセージダイアログが表示された場合、例えば、ユーザにより「はい」（破線で囲んで示している）のボタン押し下げ操作があった場合には、図１２に破線で示すような、メッセージ内容および操作内容を含むメッセージ情報が、データベース３０６に登録される。なお、このように登録されるメッセージ情報には、日時情報、アプリケーション情報、端末情報、番組名情報等も含まれている。
【００６７】
なお、データベース３０６に登録された各端末および各アプリケーションのメッセージ情報は、一定期間が経過した後、自動的に削除される。
【００６８】
上述したように、データベース３０６に各端末および各アプリケーションに関係するメッセージが登録される。この実施の形成においては、キューシート作成／表示端末２４、アサインパッド端末２５において、メッセージ履歴ダイアログを表示して、登録されているメッセージ情報をユーザが確認できるようにされている。この場合、ある端末に表示されるメッセージ履歴ダイアログには、その端末からデータベース３０６に登録されたメッセージのみが表示される。
【００６９】
この実施の形態において、図２に示すように、端末２４，２５のモニタに表示される番組表１０１には、履歴表示ボタン１０５が表示されている。ユーザは、番組表１０１が表示されている状態で、履歴表示ボタン１０５を押し下げる操作を行うことで、番組表１０１の上に、メッセージ履歴ダイアログを表示できる。このように番組表１０１に履歴表示ボタン１０５が表示されることで、ユーザは、メッセージ履歴の表示指示を簡単な操作で行うことができる。
【００７０】
図１３は、ユーザが番組表１０１の履歴表示ボタン１０５を押し下げる操作を行った場合に、番組表１０１の上に表示されたメッセージ履歴ダイアログ１０６の一例を示している。図１４は、図１３に示すメッセージ履歴ダイアログ１０６を拡大して示している。このメッセージ履歴ダイアログ１０６のメッセージ表示欄１１０には、データベース３０６に登録されているメッセージ情報が表示される。
【００７１】
このメッセージ情報には、メッセージ（Message）の他に、以下の情報が含まれている。メッセージ情報には、メッセージの表示日時を示す日時情報（Date,Time）、どのアプリケーションに関係するメッセージであるかを示すアプリケーション情報（Process）、どの端末で登録したメッセージであるかを示す端末情報（Host Name）が含まれている。また、メッセージ情報には、どの番組に関係したメッセージであるかを示す番組名情報（Program）、その番組がオンエアされるスタジオ情報（Studio）、その番組のオンエア日の情報（OA Date）が含まれている。
【００７２】
また、このメッセージ履歴ダイアログ１０６には、日付入力欄１０７、番組名入力欄１０８およびエラーレベル入力欄１０９が設けられている。ユーザは、日付入力欄１０７に日付を入力することで、メッセージ表示欄１１０に表示されるメッセージ情報を日付によって絞り込みを行うことができる。図１４の例においては、２００８年１０月１日から２００８年１０月８日までにモニタに表示されたメッセージ情報が、メッセージ表示欄１１０に表示される。
【００７３】
また、番組名入力欄１０８に番組名（Program）を入力することで、メッセージ表示欄１１０に表示されるメッセージ情報を番組名によって絞り込むことができる。図１４に示す例においては、番組名入力欄１０８に「すべて」と入力されており、メッセージ表示欄１１０には、すべての番組名のメッセージ情報が表示されている。また、図１５に示す例においては、番組名入力欄１０８に「関東のニュース」と入力されており、メッセージ表示欄１１０には、破線で囲んで示すように、関東ニュースの番組に関係するメッセージ情報のみが表示されている。
【００７４】
また、エラーレベル入力欄１０９にエラーレベルを入力することで、メッセージ表示欄１１０に表示されるメッセージ情報をエラーレベルによって絞り込むことができる。ここで、エラーレベルとは、エラー「×」、警告「！」、確認「？」、情報「ｉ」等のメッセージの種別を意味している。図１４に示す例においては、エラーレベル入力欄１０９に「すべて」と入力されており、メッセージ表示欄１１０には、すべてのエラーレベルのメッセージ情報が表示されている。また、図１６に示す例においては、エラーレベル入力欄１０９に「警告」と入力されており、メッセージ表示欄１１０には、破線で囲んで示すように、警告のメッセージ情報のみが表示されている。
【００７５】
ユーザの履歴表示ボタン１０５の操作で表示されるメッセージ履歴ダイアログ１０６のメッセージ表示欄１１０には、その直前にデータベース３０６に登録されたメッセージ情報が反映されている。
【００７６】
例えば、図１７（ａ）に示すように、番組表１０１の上に番組表（Program）のアプリケーションに関係する確認メッセージを提示するメッセージダイアログ１０４が表示され、「はい」のボタンの押し下げ操作があった場合、そのメッセージ情報が登録される。なお、図１７（ａ）においては、「はい」のボタンを、破線で囲んで示している。
【００７７】
その後、ユーザが番組表１０１の履歴表示ボタン１０５（図１３参照）の押し下げ操作を行った場合、図１７（ｂ）に示すようなメッセージ履歴ダイアログ１０６が、番組表１０１の上に表示される。このメッセージ履歴ダイアログ１０６のメッセージ表示欄１１０には、破線で囲むように、上述の番組表（Program）のアプリケーションに関係する確認メッセージのメッセージ情報が表示される。メッセージ（Message）の部分には、図示のように、メッセージ内容“キューシートロックを解除します”と共に、操作内容“「はい」”が表示されている。
【００７８】
また、例えば、図１８（ａ）に示すように、キューシートマネージャ１０２に“後番組がスタンバイしました”の情報表示があった場合、そのメッセージ情報が登録される。なお、図１８（ａ）は、上述した図３に対応しており、モニタには、前の番組のキューシート１０３ａと、後の番組のキューシート１０３ｂとが、並べて表示されている。
【００７９】
その後、ユーザが番組表１０１の履歴表示ボタン１０５（図１３参照）の押し下げ操作を行った場合、図１８（ｂ）に示すようなメッセージ履歴ダイアログ１０６が、番組表１０１の上に表示される。このメッセージ履歴ダイアログ１０６のメッセージ表示欄１１０には、破線で囲むように、上述のキューシートマネージャのアプリケーションに関係する情報メッセージのメッセージ情報が表示される。
【００８０】
また、例えば、図１９（ａ）に示すように、キューシート１０３の上にキューシートのアプリケーションに関係する情報メッセージを提示するメッセージダイアログ１０４が表示され、「ＯＫ」のボタンの押し下げ操作があった場合、そのメッセージ情報が登録される。なお、図１９（ａ）においては、「ＯＫ」のボタンを、破線で囲んで示している。
【００８１】
その後、ユーザが番組表１０１の履歴表示ボタン１０５（図１３参照）の押し下げ操作を行った場合、図１９（ｂ）に示すようなメッセージ履歴ダイアログ１０６が、番組表１０１の上に表示される。このメッセージ履歴ダイアログ１０６のメッセージ表示欄１１０には、破線で囲むように、上述のキューシートのアプリケーションに関係する情報メッセージのメッセージ情報が表示される。メッセージ（Message）の部分には、図示のように、メッセージ内容“ＮＶ素材が書き換えられました”と共に、操作内容“「ＯＫ」”が表示されている。
【００８２】
また、例えば、図２０（ａ）に示すように、キューシート１０３の上にキューシートのアプリケーションに関係する情報メッセージを提示するメッセージダイアログ１０４が表示され、「ＯＫ」のボタンの押し下げ操作があった場合、そのメッセージ情報が登録される。なお、図２０（ａ）においては、「ＯＫ」のボタンを、破線で囲んで示している。
【００８３】
その後、ユーザが番組表１０１の履歴表示ボタン１０５（図１３参照）の押し下げ操作を行った場合、図２０（ｂ）に示すようなメッセージ履歴ダイアログ１０６が、番組表１０１の上に表示される。このメッセージ履歴ダイアログ１０６のメッセージ表示欄１１０には、破線で囲むように、上述のキューシートのアプリケーションに関係する情報メッセージのメッセージ情報が表示される。メッセージ（Message）の部分には、メッセージ内容“カルタ取りモードからの戻り項目を指定してください。・・・”と共に、操作内容“「ＯＫ」”が表示される。
【００８４】
以上説明したように、図１の番組放送システム１においては、入力グループ２の複数のキューシート作成／表示端末２４、複数のアサインパッド端末２５のモニタに、各アプリケーションに関係するメッセージが表示されたとき、そのメッセージ情報がデータベース３０６に登録される（図６参照）。
【００８５】
ここで、「はい」あるいは「いいえ」のボタン押し下げをユーザに求める確認メッセージの場合、そのメッセージ情報には、メッセージ内容だけでなく、「はい」あるいは「いいえ」の操作内容も含むようにされる。また、「ＯＫ」のボタン押し下げをユーザに求める情報メッセージの場合、そのメッセージ情報には、メッセージ内容だけでなく、「ＯＫ」の操作内容も含むようにされる。
【００８６】
そして、キューシート作成／表示端末２４、アサインパッド端末２５において、番組表１０１が表示されている状態で、ユーザが履歴表示ボタン１０５の押し下げ操作を行うことで、メッセージ履歴ダイアログ１０６が表示される。このメッセージ履歴ダイアログ１０６のメッセージ表示欄１１０には、データベース３０６に登録されているメッセージ情報が表示される。このメッセージ情報として、メッセージ内容が表示され、さらに操作内容が含まれる場合には、その操作内容も表示される。
【００８７】
したがって、ユーザは、キューシート作成／表示端末２４、あるいはアサインパッド端末２５において、モニタに表示された各アプリケーションに関係するメッセージの内容、さらにはそれに対して行った操作の内容を、後から容易に確認できる。
【００８８】
また、図１の番組放送システム１中の入力グループ２において、上述したようにデータベース３０６に登録される各アプリケーションに関係するメッセージの情報には、日時情報、アプリケーション情報、端末情報、番組名情報等も含まれている。そして、ユーザの履歴表示ボタン１０５の押し下げ操作で表示されるメッセージ履歴ダイアログ１０６には、日付入力欄１０７、番組名入力欄１０８およびエラーレベル入力欄１０９が設けられている。
【００８９】
したがって、ユーザは、これらの各入力欄に日付、番組名、エラーレベル（メッセージの種別）を入力して、メッセージ履歴ダイアログ１０６のメッセージ表示欄１１０に表示されるメッセージ情報を指定できる。この場合、メッセージ履歴ダイアログ１０６のメッセージ表示欄１１０に表示されるメッセージ情報は、日付、番組名、さらにはエラーレベルにより絞り込まれたものとなり、ユーザは目的のメッセージ情報の確認を容易に行うことができる。
【００９０】
＜２．変形例＞
なお、上述実施の形態において、メッセージ履歴ダイアログ１０６を表示させる際に、ユーザが番組表１０１の履歴表示ボタン１０５の押し下げ操作を行うものを示した。しかし、履歴表示ボタン１０５は必ずしも番組表１０１にある必要はなく、番組表１０１の代わりにその他の画面に設けられてもよく、あるいは番組表１０１と共に、他の画面にも設けられてもよい。また、番組表等に履歴表示ボタン１０５の表示がなく、ユーザがキーボードの所定のキーを押し下げることで、モニタにメッセージ履歴ダイアログ１０６が表示される構成であってもよい。
【００９１】
また、上述実施の形態において、複数のキューシート作成／表示端末２４および複数のアサインパッド端末２５において、各端末のモニタに表示されるメッセージ履歴ダイアログ１０６のメッセージ表示欄１１０には、その端末のモニタに表示されたメッセージの情報のみが表示される。しかし、各端末において必要に応じて他の端末に表示されたメッセージの情報を表示可能とすることも考えられる。あるいは、別個の管理端末において、複数のキューシート作成／表示端末２４および複数のアサインパッド端末２５に表示されたメッセージの情報を表示可能とすることも考えられる。これらは、各端末のメッセージ情報は、上述したように共通のデータベース３０６に蓄積されているので、容易に実現できる。
【００９２】
また、上述実施の形態において、ユーザの履歴表示ボタン１０５の押し下げ操作で表示されるメッセージ履歴ダイアログ１０６には、日付入力欄１０７、番組名入力欄１０８およびエラーレベル入力欄１０９が設けられている。これにより、上述したように、メッセージ履歴ダイアログ１０６のメッセージ表示欄１１０に表示されるメッセージ情報を日付、番組名、さらにはエラーレベルにより絞り込むことが可能とされている。しかし、メッセージ表示欄１１０に表示されるメッセージ情報の絞り込みの情報はこれらに限定されるものではなく、その他の情報、例えばアプリケーション（プロセス）、スタジオ、オンエア日等の情報を用いることも可能である。その場合には、メッセージ履歴ダイアログ１０６にそれらの入力欄も設けられる。
【産業上の利用可能性】
【００９３】
この発明は、メッセージダイアログで表示されたメッセージの内容と、それに対して行った操作の内容をユーザが後で容易に確認できるものであり、番組放送システム等に適用できる。
【図面の簡単な説明】
【００９４】
【図１】この発明の実施の形態としての番組送出システムの構成例を示すブロック図である。
【図２】キューシート作成／表示端末のオンエア前におけるモニタの表示例を示す図である。
【図３】キューシートのアプリケーションの起動後におけるモニタの表示例を示す図である。
【図４】連続した後番組がある場合におけるモニタのキューシートの表示例を示す図である。
【図５】入力グループの各端末として使用できる情報処理端末（パーソナルコンピュータ）の構成例を示すブロック図である。
【図６】番組放送システム中の入力グループの機能構成を説明する機能構成図である。
【図７】番組表（Program）のアプリケーションに関係するメッセージ（表示内容）の一例を示す図である。
【図８】キューシートのアプリケーションに関係するメッセージ（表示内容）の一例を示す図である。
【図９】キューシートマネージャに関係するメッセージ（表示内容）の一例を示す図である。
【図１０】アサインパッドのアプリケーションに関係するメッセージ（表示内容）の一例を示す図である。
【図１１】番組表上に表示されたメッセージダイアログの一例（確認メッセージ）を示す図である。
【図１２】メッセージ内容および操作内容を含むメッセージ情報が、データベースに登録されることを説明するための図である。
【図１３】ユーザが番組表の履歴表示ボタンを押し下げる操作を行った場合に、番組表の上に表示されたメッセージ履歴ダイアログの一例を示す図である。
【図１４】番組表上に表示されるメッセージ履歴ダイアログを拡大して示す図である。
【図１５】メッセージ履歴ダイアログの番組名入力欄に番組名を入力してメッセージ表示欄に表示されるメッセージ情報の絞り込みを行うことを説明するための図である。
【図１６】メッセージ履歴ダイアログのエラーレベル入力欄にエラーレベル（メッセージの種別）を入力してメッセージ表示欄に表示されるメッセージ情報の絞り込みを行うことを説明するための図である。
【図１７】モニタに表示されるメッセージと、その後に、モニタに表示されるメッセージ履歴ダイアログの表示との対応関係を説明するための図である。
【図１８】モニタに表示されるメッセージと、その後に、モニタに表示されるメッセージ履歴ダイアログの表示との対応関係を説明するための図である。
【図１９】モニタに表示されるメッセージと、その後に、モニタに表示されるメッセージ履歴ダイアログの表示との対応関係を説明するための図である。
【図２０】モニタに表示されるメッセージと、その後に、モニタに表示されるメッセージ履歴ダイアログの表示との対応関係を説明するための図である。
【符号の説明】
【００９５】
１・・・番組放送システム、２・・・入力グループ、３・・・番組制作グループ、４・・・送出部、５・・・支社または支局、２１・・・取材管理端末、２２・・・原稿作成端末、２３・・・項目入力端末、２４・・・キューシート作成/表示端末、２５・・・アサインパッド端末、３１・・・素材サーバ、３２・・・ノンリニア編集装置、３３-1，３３-2・・・プレイアウトサーバ、３４・・・管理サーバ、３５・・・オンエア制御装置、２００・・・情報処理端末、３０１・・・システム共通設定機能部、３０２・・・報道支援機能部、３０３・・・送出支援機能部、３０４・・・データベースインタフェース、３０５・・・Ｗｅｂサーバ、３０６・・・データベース、３３１・・・番組表部、３３２・・・キューシート部、３３３・・・キューシートマネージャ部、３３４・・・アサインパッド部
【図１】
2010152836.tif 000003
【図３】
2010152836.tif 000004
【図４】
2010152836.tif 000005
【図５】
2010152836.tif 000006
【図６】
2010152836.tif 000007
【図７】
2010152836.tif 000008
【図８】
2010152836.tif 000009
【図９】
2010152836.tif 000010
【図１０】
2010152836.tif 000011
【図１２】
2010152836.tif 000012
【図１４】
2010152836.tif 000013
【図１５】
2010152836.tif 000014
【図１６】
2010152836.tif 000015
【図１７】
2010152836.tif 000016
【図１８】
2010152836.tif 000017
【図１９】
2010152836.tif 000018
【図２０】
2010152836.tif 000019
【図２】
2010152836.tif 000020
【図１１】
2010152836.tif 000021
【図１３】
2010152836.tif 000022